【手続補正書】
【提出日】平成27年7月22日(2015.7.22)
【手続補正１】
【補正対象書類名】特許請求の範囲
【補正対象項目名】全文
【補正方法】変更
【補正の内容】
【特許請求の範囲】
【請求項１】
各遊技台に１対１で対応して設けられ、遊技台で遊技するための遊技媒体を払い出す払出機能と、遊技台で獲得された遊技媒体を計数する計数機能とを備えた各台対応装置であって、
遊技媒体を貯留する貯留部を備え、遊技媒体の払出処理を行う払出処理部と、
遊技媒体の計数処理を行う計数処理部と、
計数するために投入される遊技媒体を受け入れる遊技媒体受入れ部と、
前記払出処理部により払い出される遊技媒体を通過させる払出経路の少なくとも一部と、前記遊技媒体受入れ部に投入される遊技媒体を前記計数処理部へ通過させる計数経路の少なくとも一部とを兼ね備えるための払出計数機能兼備部と、
を含むことを特徴とする、各台対応装置。
【請求項２】
前記払出処理部は、前記計数処理部の上方に配置されていることを特徴とする、請求項１記載の各台対応装置。
【請求項３】
前記計数処理部への遊技媒体の通過を許容する許容状態と、当該通過を制限する制限状態とを切り替える切替手段を含むことを特徴とする、請求項１または２記載の各台対応装置。
【請求項４】
操作者が操作可能な所定の操作部を備え、
前記操作部が操作されると、前記切替手段が前記制限状態から前記許容状態になることを特徴とする、請求項３記載の各台対応装置。
【請求項５】
前記計数処理部で計数処理された後の遊技媒体を各台対応装置の外へ排出する遊技媒体排出部をさらに含むことを特徴とする、請求項１〜４のいずれかに記載の各台対応装置。
【請求項６】
前記貯留部の上方に設けられ、前記貯留部に遊技媒体を補充するための遊技媒体補充部を含み、
前記遊技媒体補充部は、各台対応装置の正面に開閉可能に取り付けられる開閉扉を備えていることを特徴とする、請求項１〜５のいずれかに記載の各台対応装置。
【請求項７】
前記払出処理部が払出処理を実行しているときに前記計数処理部の動作を制限する計数処理制限手段を含むことを特徴とする、請求項１〜６のいずれかに記載の各台対応装置。
【請求項８】
前記計数処理部が計数処理を実行しているときに前記払出処理部の動作を制限する払出処理制限手段を含むことを特徴とする、請求項１〜７のいずれかに記載の各台対応装置。
【請求項９】
遊技者が所持する携帯端末と非接触通信を行う携帯端末非接触通信部をさらに含むことを特徴とする、請求項１〜８のいずれかに記載の各台対応装置。
【手続補正２】
【補正対象書類名】明細書
【補正対象項目名】発明の名称
【補正方法】変更
【補正の内容】
【発明の名称】各台対応装置
【手続補正３】
【補正対象書類名】明細書
【補正対象項目名】０００１
【補正方法】変更
【補正の内容】
【０００１】
この発明は、各台対応装置に関する。
【手続補正４】
【補正対象書類名】明細書
【補正対象項目名】０００２
【補正方法】変更
【補正の内容】
【０００２】
各台対応装置として、下記特許文献１〜４では、メダル用台間機が提案されている。メダル用台間機は、対応するスロットマシンの横隣に設置されている。メダル用台間機の正面には、スロットマシンでの遊技で獲得されて計数されるメダルが投入されるメダル投入口と、これから遊技するために用いるメダルをスロットマシンのメダル受け皿に導くノズルとが設けられている。
【手続補正５】
【補正対象書類名】明細書
【補正対象項目名】０００４
【補正方法】変更
【補正の内容】
【０００４】
特許文献１〜４のメダル用台間機のように、メダルを投入する部分（投入口）と、メダルを受け取る部分（ノズル）とが、完全に別々かつ離れて設けられる場合には、部品点数増加によるコスト上昇の懸念がある。
【手続補正６】
【補正対象書類名】明細書
【補正対象項目名】０００５
【補正方法】変更
【補正の内容】
【０００５】
この発明は、かかる背景のもとでなされたもので、省コスト化を図ることができる各台対応装置を提供することを目的とする。
【手続補正７】
【補正対象書類名】明細書
【補正対象項目名】０００６
【補正方法】変更
【補正の内容】
【０００６】
請求項１記載の発明は、各遊技台に１対１で対応して設けられ、遊技台で遊技するための遊技媒体を払い出す払出機能と、遊技台で獲得された遊技媒体を計数する計数機能とを備えた各台対応装置であって、遊技媒体を貯留する貯留部を備え、遊技媒体の払出処理を行う払出処理部と、遊技媒体の計数処理を行う計数処理部と、計数するために投入される遊技媒体を受け入れる遊技媒体受入れ部と、前記払出処理部により払い出される遊技媒体を通過させる払出経路の少なくとも一部と、前記遊技媒体受入れ部に投入される遊技媒体を前記計数処理部へ通過させる計数経路の少なくとも一部とを兼ね備えるための払出計数機能兼備部と、を含むことを特徴とする、各台対応装置である。
【手続補正８】
【補正対象書類名】明細書
【補正対象項目名】０００７
【補正方法】変更
【補正の内容】
【０００７】
請求項２記載の発明は、前記払出処理部は、前記計数処理部の上方に配置されていることを特徴とする、請求項１記載の各台対応装置である。
請求項３記載の発明は、前記計数処理部への遊技媒体の通過を許容する許容状態と、当該通過を制限する制限状態とを切り替える切替手段を含むことを特徴とする、請求項１または２記載の各台対応装置である。
【手続補正９】
【補正対象書類名】明細書
【補正対象項目名】０００８
【補正方法】変更
【補正の内容】
【０００８】
請求項４記載の発明は、操作者が操作可能な所定の操作部を備え、前記操作部が操作されると、前記切替手段が前記制限状態から前記許容状態になることを特徴とする、請求項３記載の各台対応装置である。
請求項５記載の発明は、前記計数処理部で計数処理された後の遊技媒体を各台対応装置の外へ排出する遊技媒体排出部をさらに含むことを特徴とする、請求項１〜４のいずれかに記載の各台対応装置である。
【手続補正１０】
【補正対象書類名】明細書
【補正対象項目名】０００９
【補正方法】変更
【補正の内容】
【０００９】
請求項６記載の発明は、前記貯留部の上方に設けられ、前記貯留部に遊技媒体を補充するための遊技媒体補充部を含み、前記遊技媒体補充部は、各台対応装置の正面に開閉可能に取り付けられる開閉扉を備えていることを特徴とする、請求項１〜５のいずれかに記載の各台対応装置である。
請求項７記載の発明は、前記払出処理部が払出処理を実行しているときに前記計数処理部の動作を制限する計数処理制限手段を含むことを特徴とする、請求項１〜６のいずれかに記載の各台対応装置である。
請求項８記載の発明は、前記計数処理部が計数処理を実行しているときに前記払出処理部の動作を制限する払出処理制限手段を含むことを特徴とする、請求項１〜７のいずれかに記載の各台対応装置である。
請求項９記載の発明は、遊技者が所持する携帯端末と非接触通信を行う携帯端末非接触通信部をさらに含むことを特徴とする、請求項１〜８のいずれかに記載の各台対応装置である。
【手続補正１１】
【補正対象書類名】明細書
【補正対象項目名】００１０
【補正方法】削除
【補正の内容】
【手続補正１２】
【補正対象書類名】明細書
【補正対象項目名】００１１
【補正方法】削除
【補正の内容】
【手続補正１３】
【補正対象書類名】明細書
【補正対象項目名】００１２
【補正方法】削除
【補正の内容】